(57)【要約】【課題】流体中から除去した磁性体を容易に流路外に排出することのできる小型かつ圧力損失の小さい磁気フィルタ装置を提供する。【解決手段】内部に流路１４ａが形成されたケーシング１４と、一部が流路１４ａ内に位置した有磁力フィルタ本体１５とを備えている。有磁力フィルタ本体１５は、磁性体を吸引する吸着部１７ｅと、吸着部１７ｅに磁力を与える磁石部１６とを備えている。吸着部１７ｅと磁石部１６とは着脱自在である。吸着部１７ｅは、略筒状をなしており、磁石部１６が略筒状吸着部１７ｅ内に収められている。【選択図】　図４
2004142012.tif 000002
【特許請求の範囲】
【請求項１】
衝撃動工具を駆動する流体が流れる回路中に配されたフィルタ装置を有し、
フィルタ装置が、回路の一部を構成する流路が内部に形成されたケーシングと、ケーシングに設けられて少なくとも一部が流路内に位置した有磁力フィルタ本体とを備え、有磁力フィルタ本体とケーシングとが互いに着脱自在であることを特徴とする衝撃動工具。
【請求項２】
有磁力フィルタ本体が、磁性体が吸着される吸着部と、吸着部に磁力を与える磁石部とを有し、吸着部と磁石部とが着脱自在であることを特徴とする請求項１記載の衝撃動工具。
【請求項３】
吸着部が、略筒状をなし、
磁石部が、略筒状吸着部内に収められていることを特徴とする請求項１または２記載の衝撃動工具。
【請求項４】
有磁力フィルタ本体の流路内に位置する部分の外面に吸着面積を増やす手段が設けられていることを特徴とする請求項１〜３いずれかに記載の衝撃動工具。
【請求項５】
吸着面積を増やす手段がフィンであることを特徴とする請求項４記載の衝撃動工具。
【発明の詳細な説明】
【０００１】
【発明の属する技術分野】
本発明は、油圧ショベルなどに装着されて使用される油圧ブレーカ等の衝撃動工具に関する。詳しくは圧油等、衝撃動工具を駆動する流体中の異物を除去するためのフィルタ装置を備えた衝撃動工具に関する。
【０００２】
【従来の技術】
油圧クレーンや油圧ショベルに装着される油圧ブレーカ等、油圧で駆動される工具の油圧回路内に混入した鉄粉等の異物は工具の焼付けを誘引する。異物は、工具の油圧回路やこの油圧回路と接続された油圧ショベル等の油圧回路中において発生する。特に、工具の油圧回路内においては、工具の摺動部分の初期摩耗や工具作動時のキャビテーションに起因して微細な鉄粉が発生する。このため、工具作動時の鉄粉の発生は避けられず、油圧回路から鉄粉を除去するフィルタが必須となる。そこで、従来は、紙あるいは金属網製のフィルタを用いて鉄粉を除去していた。
【０００３】
しかし、紙あるいは金属製のフィルタは鉄粉等の除去効率が悪く、充分な除去性能を持たせようとするとフィルタが大きくなる。また、非常に微細な鉄粉を除去するには、フィルタの目を非常に細かくする必要があり、圧力損失が大きくなる。このため、フィルタの取付場所には制限があり、フィルタは、工具を装着する油圧ショベル等の油圧タンク内あるいは油圧タンクとブレーカとを結ぶ流路中に設けられていた。すなわち、フィルタを備えた衝撃動工具は従来見られなかった。
【０００４】
【発明が解決しようとする課題】
本発明は、上記問題を解決することを課題とし、鉄粉等の除去効率のよい小型かつ圧力損失の小さいフィルタ装置を備えた衝撃動工具を提供することを目的とする。
【０００５】
【課題を解決するための手段および発明の効果】
上記課題を解決するために本発明の衝撃動工具は、衝撃動工具を駆動する流体が流れる回路中に配されたフィルタ装置を有し、フィルタ装置が、回路の一部を構成する流路が内部に形成されたケーシングと、ケーシングに設けられて少なくとも一部が流路内に位置した有磁力フィルタ本体とを備え、有磁力フィルタ本体とケーシングとが互いに着脱自在であるものである。
【０００６】
この衝撃動工具においては、ケーシングからフィルタ本体を取り外すことによって吸引した磁性体をケーシング外すなわち流路外へと容易に排出することができる。また、磁力を有したフィルタ本体を用いているので流体中の磁性体の除去効率に優れ、装置を小型化することができる。さらに、磁力を強くすれば圧力損失を大きくすることなく微細な磁性体を除去することができる。
【０００７】
また、上記衝撃動工具のフィルタ装置において、有磁力フィルタ本体が、磁性体が吸着される吸着部と、吸着部に磁力を与える磁石部とを有し、吸着部と磁石部とが着脱自在であることががある。
【０００８】
この場合、ケーシング内を流れる流体中の鉄粉等の磁性体を有磁力フィルタ本体により吸着した後、吸着部と磁石部とを離すことにより吸着部に吸着されていた磁性体が吸着部から離れ、フィルタ本体の掃除を容易に行うことができる。
【０００９】
さらに、吸着部が、略筒状をなし、磁石部が、略筒状吸着部内に収められていることがある。
【００１０】
このようにすれば、フィルタ装置の構成が簡単になる。
【００１１】
フィルタ本体の一部にねじ部が、ケーシングに前記ねじ部にねじ合うねじ部が、それぞれ形成されており、両ねじ部を用いてフィルタ本体とケーシングとが着脱されるようになされていてもよい。
【００１２】
この装置の場合、フィルタ本体とケーシングとの着脱が容易に行える。
【００１３】
なお、フィルタ本体の一部が、ケーシング外に突出しており、この突出した部分を利用してフィルタ本体をねじ回すことによりケーシングとの着脱を行うようになされていることが好ましい。
【００１４】
この場合、ケーシングが、例えば油圧回路を構成した状態のままフィルタ本体とケーシングとを着脱できるので、吸引した磁性体を流路外へきわめて容易に排出することができる。
【００１５】
さらに、フィルタ本体の流路内に位置する部分の外面に吸着面積を増やす手段が設けられていることがある。
【００１６】
この場合、フィルタ本体外面の流体と接する表面積が増え、磁性体を吸引する効率がよくなる。吸着面積を増やす手段として吸着部の外面にフィンを形成することや外面にくぼみを形成することが考えられる。
【００１７】
【発明の実施の形態】
以下、図面を参照して本発明の実施形態について説明する。
【００１８】
まず、図１および図２を参照して本発明の第一実施形態の油圧ブレーカ２について説明する。油圧ブレーカ２は、油圧ブレーカ２内部から圧油を排出する圧油排出流路出口部および油圧ブレーカ２内部に圧油を供給する圧油供給流路入口部に設けられた磁気フィルタ装置１を備えている。図１では圧油供給流路入口部が切り欠かれており、この部分に取り付けられた磁気フィルタ装置１が示されている。なお、油圧ブレーカ２は、油圧ショベル等のブーム先端に取り付けられるものであり、磁気フィルタ装置１が取り付けられている部分以外の構成は公知であるので詳細な説明は省略する。
【００１９】
図２は、図１に示された磁気フィルタ装置１を示したものである。磁気フィルタ装置１は、内部が油圧ブレーカ２内部への圧油供給流路の一部を形成する管状ケーシング３と、管状ケーシング３の内壁から半径方向に突出した複数の板状体７により支持された非鉄金属製の一端開口筒状吸着部４と、吸着部４内部に収められた棒状永久磁石５と、吸着部４の開口を閉鎖する蓋６とを備え、スイベルフランジ８に内蔵されている。この磁気フィルタ装置１では、吸着部４と永久磁石５とにより有磁力フィルタ本体９が構成されている。
【００２０】
上記磁気フィルタ装置１では、油圧ブレーカ２が駆動されるとき、ケーシング３内においては図２中の矢印Ａ方向に圧油が流れ、ケーシング３内を流れる圧油中の鉄粉等が吸着部４の表面に吸引されて付着し、油圧ブレーカ２の内部には侵入しない。付着した鉄粉等は定期的に除去される。なお、吸着部４の表面に付着した鉄粉等の除去は以下のようにして行われる。磁気フィルタ装置１を外した後、吸着部４の蓋６を開いて永久磁石５を吸着部４から取り出す。すると、吸着部４の磁力が失われるので吸着部４から鉄粉が離れる。　磁気フィルタ装置１を洗浄した後、上記と逆の手順で油圧ブレーカ２に磁気フィルタ装置１を取り付ける。
【００２１】
次いで図３〜図５を参照して本発明の第二実施形態の油圧ブレーカ２０について説明する。油圧ブレーカ２０は、圧油供給流路側に設けられた磁気フィルタ装置１１を備えている。なお、第二実施形態の説明において前後左右は図４を基準とするものとし、図４の左を左、右を右といい、図４の紙面表側を前、紙面裏側を後というものとする。
【００２２】
図３に示すように、磁気フィルタ装置１１は、油圧ブレーカ２０を駆動する油圧回路１３中の管１３Ａ、１３Ｂ間に配され、油圧ブレーカ２０のブラケット板１２に取り付けられている。
【００２３】
以下、図４および図５を参照して磁気フィルタ装置１１の詳細について説明する。
【００２４】
図４に示すように、磁気フィルタ装置１１は、内部に流路１４ａが形成されたケーシング１４と、有磁力フィルタ本体１５とを備えている。フィルタ本体１５は、流路１４ａ内に位置するとともに後述するように一端側がケーシング１４に着脱自在に取り付けられているものである。
【００２５】
ケーシング１４は、ボルト、ナットによって油圧ブレーカ２０の一側のブラケット板１２に取り付けられている。ケーシング１４内の流路１４ａは、図４に示すようにケーシング１４の高さ方向中央部で左右に伸び、右端開口に管１３Ｂが、左端後側開口に管１３Ａがそれぞれ接続されている。また、ケーシング１４の左側壁には流路１４ａに挿通されるフィルタ本体１５の取付用ねじ孔１４ｂが形成されている。ねじ孔１４ｂはフィルタ本体１５の外径より幾分大きくなっている。図５に示したように、フィルタ本体１５は、永久磁石１６とこれを保持する磁石収納部材１７とを備えている。
【００２６】
磁石収納部材１７は、非磁性金属製であり、略フランジ付ボルト状をなしている。磁石収納部材１７の軸部の基端部は、フィルタ本体取付用横方向ねじ孔１４ｂにねじ合うねじ部１７ａとなっている。磁石収納部材１７の軸部のねじ部１７ａ以外の部分の外面には複数の円板状フィン１７ｂが軸方向に間隔を置いて形成されている。さらに、磁石収納部材１７の軸部は先端側が開口した有底の筒状で、開口が磁石挿入孔１７ｃとなり、開口端部内面には雌ねじ部１７ｄが形成されている。
【００２７】
フィルタ本体１５とケーシング１４との着脱は、保持部材１７の頭部に適当な工具を嵌め、あるいは頭部を手で持ち、保持部材１７のねじ部１７ａとケーシング１４のねじ孔１４ｂとを係脱し、フィルタ本体１５をねじ孔１４ｂに挿入あるいは取り外すことにより行われる。
【００２８】
永久磁石１６は、磁石収納部材１７の磁石挿入孔１７ｃに挿入できる径の軸状磁石部１６ａと、磁石収納部材１７の雌ねじ部１７ｄにねじ合わされる径の雄ねじ部１６ｂとを備えている。磁石１６は、雄ねじ部１６ｂを保持部材１７の雌ねじ部１７ｄにねじ込むことにより保持部材１７に取り付けられ、保持部材１７における内部に磁石が位置した部分が吸着部１７ｅとなる。なお、軸状磁石部１６ａは通常アルミニウム等で被覆しておくことが好ましい。また、雄ねじ部１６ｂは、保持部材にねじ込んだ状態で保持部材の端面より幾分突出するようにしておくと着脱が容易となる。
【００２９】
なお、ケーシング１４のねじ孔１４ｂと磁石収納部材１７との間にはＯリング１８が介在されており、流路１４ａ内を流れる圧油がケーシング１４外に漏れないようになっている。
【００３０】
上記のような構成を有する油圧ブレーカ２０において磁気フィルタ装置１１は以下のようにして用いられる。
【００３１】
まず、磁石収納部材１７に永久磁石１６を取り付、有磁力フィルタ本体５を組み立てる。ついで、磁石収納部材１７をケーシング１４に取り付ける。そして、管１３Ａ、１３Ｂとケーシング１４とを接続することにより油圧回路１３を形成する。
【００３２】
油圧ブレーカ２０を駆動する時には、ケーシング１４の流路１４ａ内においては図４中の矢印Ａ方向に圧油が流れ、流路１４ａ内を流れる圧油中の鉄粉等が磁石１６により吸着部１７ｅに吸引されて磁石収納部材１７の表面に付着する。この際フィン１７ｂを設けることによって圧油に接する吸着部１７ｅの表面積が増え、圧油内の鉄粉等が効率よく吸着部１７ｅに付着する。このように油圧ブレーカ２０に供給される圧油内に混入している鉄粉等は磁気フィルタ装置１１によって吸着され、油圧ブレーカ２０内には流れ込まない。
【００３３】
吸着部１７ｅに付着した鉄粉等を除去する際は、油圧ブレーカ２０が停止した状態で、まずケーシング１４から磁石収納部材１７を外す。ついで磁石収納部材１７から磁石１６を外す。保持部材１７から磁石１６が外されると、吸着部１７ｅに付着していた鉄粉等が吸着部１７ｅから離れて除去される。
【００３４】
吸着部１７ｅから鉄粉等を除去した後、再び保持部材１７に磁石１６を取り付け、磁石１６が取り付けられた保持部材１７をケーシング１４に取り付けて再び磁気フィルタ装置１１を用いる。
【００３５】
なお、本発明の衝撃動工具における磁気フィルタ装置の構成は上記実施形態のものには限られず、適宜変更可能である。例えば、フィンに代えてあるいはフィンに加えて保持部材の軸部表面にくぼみを形成してもよい。また、永久磁石を磁石収納部材の頭部側から保持部材内に挿入するようにしてもよい。さらに、保持部材の形状にも限定はなく、必ずしも略フランジ付ボルト状でなくともよい。磁気フィルタ装置の取付位置も限定はなく、圧油供給流路あるいは圧油排出流路のいずれか一方あるいは両方に取り付ければ良い。
【００３６】
圧油排出流路に磁気フィルタ装置が取り付けられた衝撃動工具においては、衝撃動工具の作動時に発生する微細な鉄粉等も吸着することができ、油圧回路を流れる圧油を常に異物混入のない状態に維持することができる。このため焼付き等の故障の発生が少なくなる。
【図面の簡単な説明】
【図１】本発明の第一実施形態の油圧ブレーカの一部切欠き背面図である。
【図２】図１の要部の拡大図である。
【図３】ａは、本発明の第二実施形態の油圧ブレーカの側面図、ｂは同正面図である。
【図４】図３ｂの要部の拡大図である。
【図５】磁気フィルタ装置の要部の分解図である。
【符号の説明】
１　　　　　　磁気フィルタ装置
２、２０　　　油圧ブレーカ
３　　　　　　ケーシング
４　　　　　　吸着部
５　　　　　　永久磁石
６　　　　　　蓋
７　　　　　　板状体
８　　　　　　スイベルフランジ
９　　　　　　有磁力フィルタ本体
１１　　　　　磁気フィルタ装置
１２　　　　　ブラケット板
１３　　　　　油圧回路
１３Ａ　　　　管
１３Ｂ　　　　管
１４　　　　　ケーシング
１４ａ　　　　流路
１４ｂ　　　　ねじ孔
１５　　　　　有磁力フィルタ本体
１６　　　　　永久磁石
１６ａ　　　　磁石本体（磁石部）
１６ｂ　　　　頭部
１７　　　　　磁石収納部材
１７ａ　　　　ねじ部
１７ｂ　　　　フィン
１７ｃ　　　　磁石挿入孔
１７ｄ　　　　雌ねじ部
１７ｅ　　　　吸着部
１８　　　　　Ｏリング
【図１】
2004142012.tif 000003
【図２】
2004142012.tif 000004
【図３】
2004142012.tif 000005
【図４】
2004142012.tif 000006
【図５】
2004142012.tif 000007